(57)【要約】      （修正有）【課題】脆性破壊部材を用いて前框などの框材が形成されている場合であっても、この框材の損傷を防止／抑止することが可能な天板構造及び該天板構造の施工方法、並びに框保護部材を提供する。【解決手段】天板３と、天板３の裏面側に重なるように配設される天板側裏面補強材４と、天板３の端部側の裏面に上端部を当接させて上下方向Ｔ１に配設される框材５とを備えるとともに、及び／又は框材５の裏面側に重なるように配設される框保護部材１０を備えて天板構造Ａを構成する。【選択図】図２
2018023659.tif 000002
【特許請求の範囲】
【請求項１】
天板と、天板の裏面側に重なるように配設される天板側裏面補強材と、天板の端部側の裏面に上端部を当接させて上下方向に配設される框材とを備えるとともに、
前記框材の下端部を被覆するように配設される框保護部材を備えることを特徴とする天板構造。
【請求項２】
天板と、天板の裏面側に重なるように配設される天板側裏面補強材と、天板の端部側の裏面に上端部を当接させて上下方向に配設される框材とを備えるとともに、
前記框材の裏面側に重なるように配設される框保護部材を備えることを特徴とする天板構造。
【請求項３】
請求項１または請求項２に記載の天板構造において、
前記框保護部材が、前記框材の下端部を被覆するように配設される框材保護部と、前記框材の裏面側に重なるように配設される框材補強部とを備えている天板構造。
【請求項４】
請求項１から請求項３のいずれか一項に記載の天板構造において、
前記框保護部材が、前記天板側裏面補強材、あるいは前記天板側裏面補強材の下面の前記框材の裏面側に一体に配設される框側裏面補強材に固定するための固定部を備えている天板構造。
【請求項５】
請求項１から請求項４のいずれか一項に記載の天板構造を組立・施工する方法であって、
前記天板の裏面に前記天板側裏面補強材を重ねて配置する天板側裏面補強材設置工程と、
前記框材の裏面に前記框保護部材を固着する框保護部材一体化工程と、
前記框保護部材を一体に固着した前記框材を前記框保護部材とともに前記天板の所定位置に設置して一体に取り付ける框材／框保護部材取付工程とを備えることを特徴とする天板構造の施工方法。
【請求項６】
天板と、天板の裏面側に重なるように配設される天板側裏面補強材と、天板の端部側の裏面に上端部を当接させて上下方向に配設される框材とを備える天板構造に取り付けられて前記框材を保護するための框保護部材であって、
前記框材の下端部を被覆するように配設される框材保護部と、
前記天板側裏面補強材、あるいは前記天板側裏面補強材の下面の前記框材の裏面側に一体に配設される框側裏面補強材に固定するための固定部とを備えることを特徴とする框保護部材。
【発明の詳細な説明】
【技術分野】
【０００１】
本発明は、例えば流し台、洗面化粧台、調理用作業台などの天板部の構造及び該天板構造の施工方法、並びに框保護部材に関する。
【背景技術】
【０００２】
例えば、図１２に示すように、流し台、洗面化粧台、調理用作業台などには、台面を形成する天板部１と、天板部１の下方に設けられる引出しや食器洗浄機などが設けられる収納部２とを備えて構成したものがある。
【０００３】
さらに、天板部（天板構造）１には、平板状の天板３と、天板３の裏面に配設される平板状の天板側裏面補強材４と、天板３の端部側の裏面に上端部を当接させて上下方向Ｔ１に配設されるとともに天板３の端部に沿って横方向Ｔ２に延設される平板状の前框などの框材５と、天板側裏面補強材４の端部側の裏面及び框材５の裏面に当接させて配設されるとともに框材５に沿って横方向Ｔ２に延設され、框材５を補強する方形棒状の框側裏面補強材６とを備え、各部材を接着剤等で一体化して構成したものがある（例えば、特許文献１参照）。
【０００４】
また、セラミック、天然大理石（石材）、ガラスなどで天板３や框材５を形成し、木材などで天板側裏面補強材４や框側裏面補強材６を形成したものがある。
【０００５】
さらに、このような天板構造を組立・施工する際には、裏面を上方に向けて天板３を天地逆に配置するとともにこの天板３の所定位置に框材５を配置する。そして、天板３上に天板側裏面補強材４を設置するとともに、框材５の裏面と天板側裏面補強材４の端部の間の間隙に接着剤７を充填し、最後に框側裏面補強材６を取り付けるようにしている。
【先行技術文献】
【特許文献】
【０００６】
【特許文献１】特開２０１６−１０４０８２号公報
【発明の概要】
【発明が解決しようとする課題】
【０００７】
一方、特にセラミックや石材、ガラスなどの脆性的に破壊しやすい部材（脆性破壊部材）を用いて前框などの框材５が形成されている場合には、収納部２に収納物を出し入れする際に収納物が框材５の下端部５ａに接触するなどし、框材５の下端部５ａに破損が生じるおそれがあった。
【０００８】
また、例えば、輸送時や組み付け施工時に、天板３の局所に負荷がかかり、天板３の撓みに伴って框材５に負荷が加わったり、局所的な負荷が框材５に直接加わるなどして框材５に損傷が発生するおそれがあった。
【０００９】
さらに、上記従来の天板構造においては、その組立・施工時に框材の裏面と天板側裏面補強材の端部の間の間隙に接着剤を充填する必要があり、各部材の位置決めや接着剤の充填などに時間と労力を要する。このため、さらなる施工性の向上を図る手法が求められていた。
【００１０】
本発明は、上記事情に鑑み、脆性破壊部材を用いて前框などの框材が形成されている場合であっても、この框材の損傷を防止／抑止することが可能な天板構造及び該天板構造の施工方法、並びに框保護部材を提供することを目的とする。
【課題を解決するための手段】
【００１１】
上記の目的を達するために、この発明は以下の手段を提供している。
【００１２】
本発明の天板構造は、天板と、天板の裏面側に重なるように配設される天板側裏面補強材と、天板の端部側の裏面に上端部を当接させて上下方向に配設される框材とを備えるとともに、前記框材の下端部を被覆するように配設される框保護部材を備えることを特徴とする。
【００１３】
本発明の天板構造は、天板と、天板の裏面側に重なるように配設される天板側裏面補強材と、天板の端部側の裏面に上端部を当接させて上下方向に配設される框材とを備えるとともに、前記框材の裏面側に重なるように配設される框保護部材を備えることを特徴とする。
【００１４】
また、本発明の天板構造においては、前記框保護部材が、前記框材の下端部を被覆するように配設される框材保護部と、前記框材の裏面側に重なるように配設される框材補強部とを備えているが望ましい。
【００１５】
さらに、本発明の天板構造においては、前記框保護部材が、前記天板側裏面補強材、あるいは前記天板側裏面補強材の下面の前記框材の裏面側に一体に配設される框側裏面補強材に固定するための固定部を備えていることがより望ましい。
【００１６】
本発明の天板構造の施工方法は、上記のいずれかの天板構造を組立・施工する方法であって、前記天板の裏面に前記天板側裏面補強材を重ねて配置する天板側裏面補強材設置工程と、前記框材の裏面に前記框保護部材を固着する框保護部材一体化工程と、前記框保護部材を一体に固着した前記框材を前記框保護部材とともに前記天板の所定位置に設置して一体に取り付ける框材／框保護部材取付工程とを備えることを特徴とする。
【００１７】
本発明の框保護部材は、天板と、天板の裏面側に重なるように配設される天板側裏面補強材と、天板の端部側の裏面に上端部を当接させて上下方向に配設される框材とを備える天板構造に取り付けられて前記框材を保護するための框保護部材であって、前記框材の下端部を被覆するように配設される框材保護部と、前記天板側裏面補強材、あるいは前記天板側裏面補強材の下面の前記框材の裏面側に一体に配設される框側裏面補強材に固定するための固定部とを備えることを特徴とする。
【発明の効果】
【００１８】
本発明の天板構造及び框保護部材においては、框材の下端部が框保護部材で被覆保護されることにより、例えば、前框がセラミックや石材、ガラスなどの脆性破壊部材を用いて形成され、収納部に収納物を出し入れする際に収納物がこの框材の下端部に接触するなどしても、框材の下端部に破損が生じることを防止／抑止できる。
【００１９】
また、本発明の天板構造及び框保護部材においては、框保護部材が框材の裏面に重なるように配設されていることにより、輸送時や組み付け施工時に、天板の局所に負荷がかかり、天板の撓みに伴って前框に負荷が加わったり、局所的な負荷が前框に直接加わるなどした際に、框保護部材で框材に加わった負荷を受けることができる。これにより、天板の撓みに伴って前框に負荷が加わったり、局所的な負荷が前框に直接加わるなどして、框材に損傷が生じることを防止／抑止できる。
【００２０】
また、本発明の天板構造の施工方法においては、従来の天板構造のようにその組立・施工時に框材の裏面と天板側裏面補強材の端部の間の間隙に接着剤を充填する必要がなく、従来と比較し、大幅に施工性の向上を図ることができる。
【図面の簡単な説明】
【００２１】
【図１】本発明の第１実施形態に係る天板構造及び框保護部材を示す断面図である。
【図２】本発明の第１実施形態に係る天板構造及び框保護部材を示す断面図である。
【図３】本発明の第１実施形態に係る天板構造及び框保護部材を示す下方からの斜視図である。
【図４】本発明の框保護部材の変更例を示す図である。
【図５】本発明の第１実施形態に係る天板構造及び框保護部材の変更例を示す断面図である。
【図６】本発明の第１実施形態に係る天板構造及び框保護部材の変更例を示す断面図である。
【図７】本発明の第１実施形態に係る天板構造及び框保護部材の変更例を示す断面図である。
【図８】本発明の第１実施形態に係る天板構造及び框保護部材の変更例を示す断面図である。
【図９】本発明の第１実施形態に係る天板構造及び框保護部材の変更例を示す断面図である。
【図１０】本発明の第１実施形態に係る天板構造及び框保護部材の変更例を示す断面図である。
【図１１】本発明の第１実施形態に係る天板構造及び框保護部材の変更例を示す断面図である。
【図１２】本発明の第２実施形態に係る天板構造を示す断面図である。
【図１３】システムキッチンなどの流し台を示す縦断面図である。
【発明を実施するための形態】
【００２２】
以下、図１から図１０（及び図１２）を参照し、本発明の第１実施形態に係る天板構造及び框保護部材について説明する。ここで、本実施形態では、本発明に係る天板構造がシステムキッチンなどの流し台の天板部の構造であるものとして説明を行う。なお、本発明に係る天板構造（及び框保護部材）は、洗面化粧台、作業台、机など、流し台以外のあらゆる台の天板部の構造に適用可能である。
【００２３】
本実施形態のシステムキッチンなどの流し台は、台面を形成する天板部１と、天板部１の下方に設けられる引出しや食器洗浄機などの収納部２とを備えて構成されている（図１２参照）。
【００２４】
また、本実施形態の天板構造（天板部の構造）Ａは、図１及び図２（図１２）に示すように、平板状の天板３と、天板３の裏面（下面）に一体に取り付けられる平板状の天板側裏面補強材４と、天板３の前端部側の裏面に上端部を当接させて上下方向Ｔ１に配設されるとともに天板３の前端部に沿って横方向Ｔ２に延設される平板状で帯状の前框（框材）５と、天板側裏面補強材４の前端部側の裏面及び前框５の裏面（背面）に一体に取り付けられる方形棒状の框側裏面補強材６とを備えて構成されている。
【００２５】
さらに、本実施形態の天板３、前框５はセラミック、石材などの脆性破壊部材を用いて形成され、天板側裏面補強材４、框側裏面補強材６は木材などで形成されている。
【００２６】
本実施形態では、天板側裏面補強材４の前面（前端部）と框側裏面補強材６の前面が面一となるように天板側裏面補強材４に框側裏面補強材６が取り付けられ、且つこれら天板側裏面補強材４の前面と框側裏面補強材６の前面に裏面を接着剤で固着して前框５が一体に配設されている。また、前框５の見付け寸法／上下方向Ｔ１の高さ寸法は、引出しや食器洗浄機などの収納部２を操作する際に干渉しないように設定されている。さらに、框側裏面補強材６は、その下面が前框５の下端部５ａよりも僅かに上方に配されるようにして取り付けられている。
【００２７】
一方、本実施形態の天板構造Ａにおいては、前框５を保護、補強するための框保護部材１０を備えている。また、本実施形態の框保護部材１０は、例えばアルミ形材等の金属製の部材であり、框材補強部１１と框材保護部１２とを備えている。
【００２８】
框材補強部１１は、矩形平板状に形成され、板面を上下方向Ｔ１に向けて水平に配設される補強本体部１１ａと、補強本体部１１ａの後端側に一体に設けられ、框保護部材１０を固定して取り付けるための固定部１１ｂと、補強本体部１１ａの前端側から下方に突出する段部１１ｃとを備えて形成されている。
【００２９】
また、本実施形態では、固定部１１ｂが方形平板状に形成され、補強本体部１１ａと上下の板面がそれぞれ面一となるようにして補強本体部１１ａの後端から横方向の奥行方向Ｔ３に突設されている。さらに、固定部１１ｂには上面から下面に貫通するビス孔が設けられている。
【００３０】
框材保護部１２は、矩形平板状の帯状に形成され、框材補強部１１の段部１１ｃの下端から横方向前方側に突出して設けられている。
【００３１】
なお、本実施形態では、框保護部材１０の厚さが１ｍｍ程度、段部１１ｃの高さ寸法が６〜８ｍｍ程度とされている。勿論、これら厚さや段部１１ｃの高さを限定する必要はない。
【００３２】
そして、本実施形態の框保護部材１０においては、框材補強部１１の補強本体部１１ａ及び固定部１１ｂを框側裏面補強材６の下面に重なるように、且つ段部１１ｃが前框５の裏面に当接するようにして所定位置に配設するとともに固定部１１ｂをビス留めすることによって框側裏面補強材６に一体に取り付けられる。また、このように框材補強部１１を框側裏面補強材６の所定位置に固定するとともに、框材保護部１２が前框５の下端部（下端面）５ａに当接し、前框５の下端部５ａを被覆するように配設される。
【００３３】
したがって、上記構成からなる本実施形態の天板構造Ａ（及び框保護部材１０）においては、前框５の下端部５ａが金属製の框材保護部１２（框保護部材１０）で被覆保護されるため、例えば、前框５がセラミックや石材、ガラスなどの脆性破壊部材を用いて形成され、収納部２に収納物を出し入れする際に収納物がこの前框５の下端部５ａに接触するなどしても、前框５の下端部５ａに破損が生じることを防止できる。
【００３４】
また、本実施形態の天板構造Ａ（及び框保護部材１０）においては、框保護部材１０が框材補強部１１を備え、框材補強部１１が框側裏面補強材６の下面に重ねて配設される補強本体部１１ａ、前框５の下端部５ａ側の裏面に重なるように配設される段部１１ｃ、框側裏面補強材６にビス留め固定される固定部１１ｂを備えている。
【００３５】
これにより、輸送時や組み付け施工時に、天板３の局所に負荷がかかり、天板３の撓みに伴って前框５に負荷が加わったり、局所的な負荷が前框５に直接加わるなどした際に、段部１１ｃ及び補強本体部１１ａ、さらに固定部１１ｂで前框５に加わった負荷を受けることができ、また、框側裏面補強材６に負荷を伝達させることができる。よって、天板３の撓みに伴って前框５に負荷が加わったり、局所的な負荷が前框５に直接加わるなどして、前框５に損傷が生じることも防止できる。
【００３６】
さらに、框保護部材１０が段部１１ｃを備えて形成されていることにより、前框５の下端部５ａ側を下方に突出した状態で維持しつつ前框５の保護／補強を施すことができる。すなわち、前框５の下端部５ａ側の水切り性能を維持しつつ前框５の保護／補強を施すことができる。
【００３７】
以上、本発明に係る天板構造及び框保護部材の第１実施形態について説明したが、本発明は上記の第１実施形態に限定されるものではなく、その趣旨を逸脱しない範囲で適宜変更可能である。
【００３８】
例えば、本実施形態では、框保護部材１０で保護／補強する框材５が前框であるものとして説明を行ったが、前框５に限定する必要はなく、台の形状、構成に応じ、あらゆる部位の框材５を保護／補強するように框保護部材１０を備えても勿論構わない。
【００３９】
また、框保護部材１０が框材補強部１１と框材保護部１２とを備えて構成されているものとしたが、図３、図４に示すように框材保護部１２のみで構成したり、框材保護部１２と固定部１１ｂのみで構成してもよい。この場合には、例えば框材５の下端部５ａに接着剤等で框材保護部１２（框保護部材１０）を固着したり、固定部１１ｂを框側裏面補強材６等に固定することによって、本実施形態と同様に框材５の下端部５ａを保護することができる。
【００４０】
また、図４のように、例えば収納部２の食器洗浄機２ａなどに対し、その幅寸法よりも間隔を大きくして固定部１１ｂを配置して框保護部材１０を形成することにより、すなわち、所望の間隔を確保しつつ両端側に固定部１１ｂを設けるなどして框保護部材１０を形成することにより、収納部２の食器洗浄機２ａなどに干渉することなく、容易に且つ好適に框保護部材１０を取り付けることができる。また、食器洗浄機２ａの上部など、框材５の下端部の保護を必要とする所望の箇所（局所的）に框保護部材１０を取り付けることが可能になる。
【００４１】
さらに、本実施形態では、天板側裏面補強材４の前面と框側裏面補強材６の前面が面一となるように天板側裏面補強材４に框側裏面補強材６が取り付けられ、且つこれら天板側裏面補強材４の前面と框側裏面補強材６の前面に裏面を接着剤で固着して前框５が一体に配設されているものとした。
【００４２】
これに対し、図５、図６に示すように、框材５の裏面と框側裏面補強材６の前面との間、あるいは框材５の裏面と框側裏面補強材６及び天板側裏面補強材４の前面との間に介設される框裏面介設補強部１１ｄを備えて框保護部材１０（框保護部材１０の框材補強部１１）を構成してもよい。このように框材５の裏面側に框裏面介設補強部１１ｄが重なって配設されることにより、輸送時や組み付け施工時に、天板３の局所に負荷がかかり、天板３の撓みに伴って框材５に負荷が加わったり、局所的な負荷が框材５に直接加わるなどした場合に、框裏面介設補強部１１ｄで框材５に加わった負荷を受けることができ、また、框裏面介設補強部１１ｄを介して効果的に框側裏面補強材６、天板側裏面補強材４に負荷を伝達させることができる。よって、天板３の撓みに伴って框材５に負荷が加わったり、局所的な負荷が框材５に直接加わるなどして、框材５に損傷が生じることをより確実に防止できる。
【００４３】
ここで、框裏面介設補強部１１ｄは、例えば、図５、図６のように平板状に形成されていても、図７のように補強リブ１１ｅを設けて形成されていてもよい。さらに、図８に示すように、中空状に形成されていてもよい。
【００４４】
また、図９に示すように、框裏面介設補強部１１ｄを備えることにより、框側裏面補強材６を省略してもよい。この場合には、補強本体部１１ａ及び固定部１１ｂを天板側裏面補強材４の下面に重なるようにし、固定部１１ｂを天板側裏面補強材４にビス留め固定して框保護部材１０を配設する。
【００４５】
なお、図９、図１に示すように、補強本体部１１ａ、固定部１１ｂを中空構造で構成してもよい。また、図１に示すように、補強本体部１１ａに挿通孔１１ｆと、挿通孔１１ｆに取り付けてこの挿通孔１１ｆを着脱可能に閉塞させるビスキャップ（キャップ部材）１１ｇを備えることにより、ビスキャップ１１ｇを取り外した状態で挿通孔１１ｆを通じてビスで框保護部材１０を取り付けることができる。また、ビスキャップ１１ｇを取り付けることによって挿通孔１１ｆを閉塞させ、見栄えを良くすることができる。
【００４６】
そして、このように天板構造Ａ（框保護部材１０等）を構成した場合においては、天板３の撓みに伴って框材５に負荷が加わったり、局所的な負荷が框材５に直接加わるなどした場合に、框裏面介設補強部１１ｄで框材５に加わった負荷を受けることができ、また、框裏面介設補強部１１ｄを介して効果的に天板側裏面補強材４に負荷を伝達させることができ、やはり、本実施形態と同様、框材５に損傷が生じることを防止できる。
【００４７】
また、本実施形態では、框保護部材１０がアルミ形材等の金属製の部材であるものとしたが、框材５の保護、補強を適宜行うことが可能であれば、特に框保護部材１０の材質を限定する必要はない。
【００４８】
さらに、本実施形態では、天板３や框材５がセラミック、石材などの脆性破壊部材を用いて形成されているものとしたが、框保護部材１０によって保護／補強効果が得られれば、特に框材５（や天板３）の材質を限定する必要はない。また、天板側裏面補強材４、框側裏面補強材６においても、特に木材に限定する必要はない。
【００４９】
さらに、既設の流し台などの台の天板部１に框保護部材１０を別途取り付けて、本発明の天板構造Ａを構成するようにしてもよい。この場合には、既設の流し台などの台に対して框材５の保護／補強を施すことが可能になる。
【００５０】
次に、図１１（及び図１２）を参照し、本発明の第２実施形態に係る天板構造及び天板構造の施工方法、並びに框保護部材について説明する。なお、本実施形態においても本発明に係る天板構造がキッチンの流し台の天板部の構造であるものとして説明を行う。よって、第１実施形態と同様の構成については同一符号を付し、その詳細な説明を省略する。
【００５１】
本実施形態の天板構造Ａは、天板３と天板側裏面補強材４と前框（框材）５と框保護部材１０とを備えて構成されている。
【００５２】
そして、本実施形態の天板構造Ａにおいては、前框５を保護、補強するための框保護部材１０が框材補強部１３と框材保護部１２とを備え、框材補強部１３を前框５と天板側裏面補強材４（前框５の裏面と天板側裏面補強材４の前端部）の間に介設して框保護部材１０が配設されている。
【００５３】
框材補強部１３は、断面方形状の中空構造、すなわち角管状に形成された本体部１３ａと、本体部１３ａの下面の前面側から下方に突出する段部と１３ｂを備えて形成されている。また、本体部１３ａは、その奥行寸法（幅寸法）を前框５と天板側裏面補強材４の間の隙間寸法と略同等にし、高さ寸法を前框５の高さ寸法（見付け寸法）よりも僅かに小さくして形成されている。
【００５４】
框材保護部１２は、矩形平板状の帯状に形成され、框材補強部１３の段部１３ｂの下端から横方向前方側に突出して設けられている。
【００５５】
そして、本実施形態の框保護部材１０は、框材補強部１３の本体部１３ａが、上面を天板３の裏面に、前面を前框５の裏面に、裏面の上端側を天板側裏面補強材４の前端部にそれぞれ接着剤で接着するなどして、前框５と天板側裏面補強材４（前框５の裏面と天板側裏面補強材４の前端部）の間の隙間を埋めるように配設される。
【００５６】
また、このように本体部１３ａを配設するとともに、框材保護部１２が前框５の下端部５ａを被覆するように配設される。
【００５７】
したがって、上記構成からなる本実施形態の天板構造Ａ（及び框保護部材１０）においても、第１実施形態と同様、前框５の下端部５ａが金属製の框材保護部１２で被覆保護されるため、例えば、収納物が前框５の下端部５ａに接触するなどしても、前框５の下端部５ａに破損が生じることを防止できる。
【００５８】
また、本実施形態の天板構造Ａ（及び框保護部材１０）においては、框保護部材１０の框材補強部１３の本体部１３ａが天板側裏面補強材４の前端部と前框５の裏面の間に介設され、且つ前框５の裏面全面に対向するように配設される。
【００５９】
これにより、輸送時や組み付け施工時に、天板３の局所に負荷がかかり、天板３の撓みに伴って前框５に負荷が加わったり、局所的な負荷が前框５に直接加わるなどした際に、框材補強部１３で前框５に加わった負荷を受けることができる。また、天板側裏面補強材４に負荷を伝達させることができる。よって、框側裏面補強材６がなくても、天板３の撓みに伴って前框５に負荷が加わったり、局所的な負荷が前框５に直接加わるなどすることで前框５に損傷が生じることを防止できる。
【００６０】
さらに、框保護部材１０が段部１３ｂを備えて形成されていることにより、前框５の下端部５ａ側を下方に突出した状態で維持しつつ前框５の保護／補強を施すことができる。すなわち、前框５の下端部側の水切り性能を維持しつつ前框５の保護／補強を施すことができる。
【００６１】
ここで、本実施形態の天板構造Ａを施工する際には（本実施形態の天板構造の施工方法においては）、裏面を上方に向けて天板３を天地逆にして配置するとともに、この天板３上の所定位置に天板側裏面補強材４を重ねて配置する（天板側裏面補強材設置工程）。このとき、例えば、天板３に予め形成されたシンク開口などを利用して（シンク開口に沿って）位置出しを行い、天板側裏面補強材４を天板３上の所定位置に配置する。次に、前框（框材）５に框保護部材１０を予め貼着するなどしておき（框保護部材一体化工程）、框側裏面補強材６を兼ね備えた框保護部材１０を前框５とともに天板３の所定位置に配置して一体に取り付け（框材／框保護部材取付工程）、天板構造Ａを形成することができる。
なお、前述の第１実施形態の天板構造Ａにおいても同様にして施工することが可能である。
【００６２】
これにより、本実施形態の天板構造の施工方法によれば、従来の天板構造のようにその組立・施工時に框材５の裏面と天板側裏面補強材４の端部の間の間隙に接着剤７を充填する必要がなく、従来と比較し、大幅に施工性の向上を図ることができる。
【００６３】
以上、本発明に係る天板構造及び天板構造の施工方法、並びに框保護部材の第２実施形態について説明したが、本発明は上記の第２実施形態に限定されるものではなく、第１実施形態の変更例を含め、その趣旨を逸脱しない範囲で適宜変更可能である。
【符号の説明】
【００６４】
１      天板部（従来の天板構造）
２      収納部
３      天板
４      天板側裏面補強材
５      框材（前框）
５ａ    下端部
６      框側裏面補強材
７      接着剤（接着層）
１０    框保護部材
１１    框材補強部
１１ａ  補強本体部
１１ｂ  固定部
１１ｃ  段部
１１ｄ  框裏面介設補強部
１１ｅ  補強リブ
１１ｆ  挿通孔
１１ｇ  ビスキャップ
１２    框材保護部
１３    框材補強部
１３ａ  本体部
１３ｂ  段部
Ａ      天板構造
Ｔ１    上下方向
Ｔ２    横方向（幅方向）
Ｔ３    横方向（見付け方向）
【図１】
2018023659.tif 000003
【図２】
2018023659.tif 000004
【図３】
2018023659.tif 000005
【図４】
2018023659.tif 000006
【図５】
2018023659.tif 000007
【図６】
2018023659.tif 000008
【図７】
2018023659.tif 000009
【図８】
2018023659.tif 000010
【図９】
2018023659.tif 000011
【図１０】
2018023659.tif 000012
【図１１】
2018023659.tif 000013
【図１２】
2018023659.tif 000014
【図１３】
2018023659.tif 000015